(57)【要約】【課題】目標が達成されたことを容易に把握することのできる生体情報測定装置を提供する。【解決手段】生体情報測定装置である体重体組成計において、生体情報の測定結果を表示する表示部としてセグメント方式の表示部４０が設けられ、生体情報に関する目標条件を設定する機能が設けられている。また、体重体組成において、生体情報の測定結果を表示する測定結果表示セグメントとしての数値表示セグメント４１Ｂ〜４１Ｄと、生体情報の測定結果と目標条件との関係に応じて表示状態が変化する目標達成表示セグメント４８Ａ〜４８Ｅ，４９Ａ〜４９Ｅとが表示部４０に設けられていることを特徴とする。【選択図】図６
2012200276.tif 000002
【特許請求の範囲】
【請求項１】
生体情報の測定結果を表示する表示部を備える生体情報測定装置において、
前記表示部としてセグメント方式の表示部が設けられていること、
前記生体情報に関する目標条件を設定する機能が設けられていること、
ならびに、前記生体情報の測定結果を表示する測定結果表示セグメントと、前記生体情報の測定結果と前記目標条件との関係に応じて表示状態が変化する目標達成表示セグメントとが前記表示部に設けられていること
を特徴とする生体情報測定装置。
【請求項２】
請求項１に記載の生体情報測定装置において、
前記測定結果表示セグメントと前記表示部の周縁との間に前記目標達成表示セグメントが設けられていること
を特徴とする生体情報測定装置。
【請求項３】
請求項１または２に記載の生体情報測定装置において、
複数の前記測定結果表示セグメントが設けられていること、
ならびに、前記複数の測定結果表示セグメントの間に前記目標達成表示セグメントが設けられていること
を特徴とする生体情報測定装置。
【請求項４】
請求項１〜３のいずれか一項に記載の生体情報測定装置において、
前記測定結果表示セグメントおよび前記目標達成表示セグメントとは別に補助表示セグメントが設けられていること、
ならびに、前記測定結果表示セグメントと前記補助表示セグメントとの間、および前記補助表示セグメントと前記表示部の周縁との間の少なくとも一方に前記目標達成表示セグメントが設けられていること
を特徴とする生体情報測定装置。
【請求項５】
請求項１〜４のいずれか一項に記載の生体情報測定装置において、
前記測定結果表示セグメントおよび前記目標達成表示セグメントとは別に複数の補助表示セグメントが設けられていること、
ならびに、前記複数の補助表示セグメントの間に前記目標達成表示セグメントが設けられていること
を特徴とする生体情報測定装置。
【請求項６】
請求項１〜５のいずれか一項に記載の生体情報測定装置において、
先端に向けて先細りの形状となる部分を「先細り部分」として、前記目標達成表示セグメントにおいて中心側の部分から複数の前記先細り部分が放射状に突出していること
を特徴とする生体情報測定装置。
【請求項７】
請求項１〜６のいずれか一項に記載の生体情報測定装置において、
前記測定結果が前記目標条件を満たしているとき、前記目標達成表示セグメントが点滅すること
を特徴とする生体情報測定装置。
【請求項８】
請求項１〜７のいずれか一項に記載の生体情報測定装置において、
前記測定結果が前記目標条件を満たしているときの前記測定結果の表示状態と、前記測定結果が前記目標条件を満たしていないときの前記測定結果の表示状態とが互いに異なること
を特徴とする生体情報測定装置。
【請求項９】
請求項１〜８のいずれか一項に記載の生体情報測定装置において、
前記測定結果が前記目標条件を満たしているときの前記測定結果の表示色と、前記測定結果が前記目標条件を満たしていないときの前記測定結果の表示色とが互いに異なること
を特徴とする生体情報測定装置。
【請求項１０】
請求項１〜９のいずれか一項に記載の生体情報測定装置において、
前記測定結果と前記目標条件との関係に応じて動作状態が変化する報知部が設けられていること
を特徴とする生体情報測定装置。
【請求項１１】
請求項１０に記載の生体情報測定装置において、
前記測定結果が前記目標条件を満たしているとき、前記報知部が光を出力すること
を特徴とする生体情報測定装置。
【請求項１２】
請求項１０または１１に記載の生体情報測定装置において、
前記測定結果が前記目標条件を満たしているとき、前記報知部が音を出力すること
を特徴とする生体情報測定装置。
【請求項１３】
請求項１〜１２のいずれか一項に記載の生体情報測定装置において、
前記目標条件として設定される数値を「目標値」とし、前記測定結果を示す数値を「測定値」とし、今回の測定により得られた前記測定値を「今回測定値」として、以下の（条件１）〜（条件３）のいずれか１つが満たされるとき、前記測定結果が前記目標条件を満たしている旨判定すること
（条件１）前記目標値と前記今回測定値とが等しい
（条件２）前記目標値が前記今回測定値よりも大きい
（条件３）前記目標値が前記今回測定値よりも小さい
を特徴とする生体情報測定装置。
【請求項１４】
請求項１３に記載の生体情報測定装置において、
前記今回測定値の直前に得られた前記測定値を「直前測定値」として、この直前測定値が前記目標値として設定されること
を特徴とする生体情報測定装置。
【請求項１５】
請求項１〜１２のいずれか一項に記載の生体情報測定装置において、
前記目標条件として設定される数値の範囲を「目標範囲」とし、前記測定結果を示す数値を「測定値」とし、今回の測定により得られた前記測定値を「今回測定値」として、前記目標範囲に前記今回測定値が含まれるとき、前記測定結果が前記目標条件を満たしている旨判定すること
を特徴とする生体情報測定装置。
【請求項１６】
請求項１５に記載の生体情報測定装置において、
前記今回測定値の直前に得られた前記測定値を「直前測定値」とし、前記目標範囲の上限を規定する値を「上限値」とし、前記目標範囲の下限を規定する値を「下限値」とし、前記今回測定値が前記上限値よりも大きいときの前記今回測定値と前記上限値との差の絶対値を「今回上限側差分」とし、前記今回測定値が前記下限値よりも小さいときの前記今回測定値と前記下限値との差の絶対値を「今回下限側差分」とし、前記前回測定値が前記上限値よりも大きいときの前記前回測定値と前記上限値との差の絶対値を「前回上限側差分」とし、前記前回測定値が前記下限値よりも小さいときの前記前回測定値と前記下限値との差の絶対値を「前回下限側差分」として、以下の（条件１）および（条件２）のいずれか一方が満たされるとき、前記測定結果が前記目標条件を満たしている旨判定すること
（条件１）前記今回上限側差分が前記前回上限側差分または前記前回下限側差分よりも小さい
（条件２）前記今回下限側差分が前記前回上限側差分または前記前回下限側差分よりも小さい
を特徴とする生体情報測定装置。
【請求項１７】
請求項１６に記載の生体情報測定装置において、
前記（条件１）および前記（条件２）のいずれか一方が満たされる状態を「第１目標達成状態」とし、前記目標範囲に前記今回測定値が含まれる状態を「第２目標達成状態」として、前記第１目標達成状態のときの前記目標達成表示セグメントの表示状態と前記第２目標達成状態のときの前記目標達成表示セグメントの表示状態とが互いに異なること
を特徴とする生体情報測定装置。
【請求項１８】
請求項１７に記載の生体情報測定装置において、
前記第２目標達成状態のときに表示される前記目標達成表示セグメントの数が前記第１目標達成状態のときに表示される前記目標達成表示セグメントの数よりも多いこと
を特徴とする生体情報測定装置。
【請求項１９】
請求項１〜１８のいずれか一項に記載の生体情報測定装置において、
前記生体情報として体重および生体インピーダンスの少なくとも一方を測定すること
を特徴とする生体情報測定装置。
【発明の詳細な説明】
【技術分野】
【０００１】
本発明は、生体情報の測定結果を表示する表示部を備える生体情報測定装置に関する。
【背景技術】
【０００２】
上記生体情報測定装置として、例えば特許文献１に記載の体組成測定機能付き体重計が知られている。この体重計においては、生体情報の測定結果として被測定者の体重および体脂肪率を示す数値が表示部に表示される。
【先行技術文献】
【特許文献】
【０００３】
【特許文献１】特開２００７−３１３０１９号公報
【発明の概要】
【発明が解決しようとする課題】
【０００４】
ところで、測定者は予め定めた体重の目標が達成されているか否かを確認するために体重を測定することがある。この場合には、体重の測定結果とともに目標が達成されているか否かが表示されることにより、測定者の利便性が向上する。なお、特許文献１の体重計では、このような目標に関する表示が行なわれないため、測定者の利便性の点において改善の余地が残されている。
【０００５】
本発明は上記課題を解決するためになされたものであり、その目的は、目標が達成されたことを容易に把握することのできる生体情報測定装置を提供することにある。
【課題を解決するための手段】
【０００６】
上記目的を達成するための手段を以下に記載する。
・本発明の生体情報測定装置は、生体情報の測定結果を表示する表示部を備える生体情報測定装置において、前記表示部としてセグメント方式の表示部が設けられていること、前記生体情報に関する目標条件を設定する機能が設けられていること、ならびに、前記生体情報の測定結果を表示する測定結果表示セグメントと、前記生体情報の測定結果と前記目標条件との関係に応じて表示状態が変化する目標達成表示セグメントとが前記表示部に設けられていることを特徴とする。
【０００７】
・この生体情報測定装置においては、前記測定結果表示セグメントと前記表示部の周縁との間に前記目標達成表示セグメントが設けられていることが好ましい。
・この生体情報測定装置においては、複数の前記測定結果表示セグメントが設けられていること、ならびに、前記複数の測定結果表示セグメントの間に前記目標達成表示セグメントが設けられていることが好ましい。
【０００８】
・この生体情報測定装置においては、前記測定結果表示セグメントおよび前記目標達成表示セグメントとは別に補助表示セグメントが設けられていること、ならびに、前記測定結果表示セグメントと前記補助表示セグメントとの間、および前記補助表示セグメントと前記表示部の周縁との間の少なくとも一方に前記目標達成表示セグメントが設けられていることが好ましい。
【０００９】
・この生体情報測定装置においては、前記測定結果表示セグメントおよび前記目標達成表示セグメントとは別に複数の補助表示セグメントが設けられていること、ならびに、前記複数の補助表示セグメントの間に前記目標達成表示セグメントが設けられていることが好ましい。
【００１０】
・この生体情報測定装置においては、先端に向けて先細りの形状となる部分を「先細り部分」として、前記目標達成表示セグメントにおいて中心側の部分から複数の前記先細り部分が放射状に突出していることが好ましい。
【００１１】
・この生体情報測定装置においては、前記測定結果が前記目標条件を満たしているとき、前記目標達成表示セグメントが点滅することが好ましい。
・この生体情報測定装置においては、前記測定結果が前記目標条件を満たしているときの前記測定結果の表示状態と、前記測定結果が前記目標条件を満たしていないときの前記測定結果の表示状態とが互いに異なることが好ましい。
【００１２】
・この生体情報測定装置においては、前記測定結果が前記目標条件を満たしているときの前記測定結果の表示色と、前記測定結果が前記目標条件を満たしていないときの前記測定結果の表示色とが互いに異なることが好ましい。
【００１３】
・この生体情報測定装置においては、前記測定結果と前記目標条件との関係に応じて動作状態が変化する報知部が設けられていることが好ましい。
・この生体情報測定装置においては、前記測定結果が前記目標条件を満たしているとき、前記報知部が光を出力することが好ましい。
【００１４】
・この生体情報測定装置においては、前記測定結果が前記目標条件を満たしているとき、前記報知部が音を出力することが好ましい。
・この生体情報測定装置においては、前記目標条件として設定される数値を「目標値」とし、前記測定結果を示す数値を「測定値」とし、今回の測定により得られた前記測定値を「今回測定値」として、以下の（条件１）〜（条件３）のいずれか１つが満たされるとき、前記測定結果が前記目標条件を満たしている旨判定することが好ましい。
（条件１）前記目標値と前記今回測定値とが等しい
（条件２）前記目標値が前記今回測定値よりも大きい
（条件３）前記目標値が前記今回測定値よりも小さい
・この生体情報測定装置においては、前記今回測定値の直前に得られた前記測定値を「直前測定値」として、この直前測定値が前記目標値として設定されることが好ましい。
【００１５】
・この生体情報測定装置においては、前記目標条件として設定される数値の範囲を「目標範囲」とし、前記測定結果を示す数値を「測定値」とし、今回の測定により得られた前記測定値を「今回測定値」として、前記目標範囲に前記今回測定値が含まれるとき、前記測定結果が前記目標条件を満たしている旨判定することが好ましい。
【００１６】
・この生体情報測定装置においては、前記今回測定値の直前に得られた前記測定値を「直前測定値」とし、前記目標範囲の上限を規定する値を「上限値」とし、前記目標範囲の下限を規定する値を「下限値」とし、前記今回測定値が前記上限値よりも大きいときの前記今回測定値と前記上限値との差の絶対値を「今回上限側差分」とし、前記今回測定値が前記下限値よりも小さいときの前記今回測定値と前記下限値との差の絶対値を「今回下限側差分」とし、前記前回測定値が前記上限値よりも大きいときの前記前回測定値と前記上限値との差の絶対値を「前回上限側差分」とし、前記前回測定値が前記下限値よりも小さいときの前記前回測定値と前記下限値との差の絶対値を「前回下限側差分」として、以下の（条件１）および（条件２）のいずれか一方が満たされるとき、前記測定結果が前記目標条件を満たしている旨判定することが好ましい。
（条件１）前記今回上限側差分が前記前回上限側差分または前記前回下限側差分よりも小さい
（条件２）前記今回下限側差分が前記前回上限側差分または前記前回下限側差分よりも小さい
・この生体情報測定装置においては、前記（条件１）および前記（条件２）のいずれか一方が満たされる状態を「第１目標達成状態」とし、前記目標範囲に前記今回測定値が含まれる状態を「第２目標達成状態」として、前記第１目標達成状態のときの前記目標達成表示セグメントの表示状態と前記第２目標達成状態のときの前記目標達成表示セグメントの表示状態とが互いに異なることが好ましい。
【００１７】
・この生体情報測定装置においては、前記第２目標達成状態のときに表示される前記目標達成表示セグメントの数が前記第１目標達成状態のときに表示される前記目標達成表示セグメントの数よりも多いことが好ましい。
【００１８】
・この生体情報測定装置においては、前記生体情報として体重および生体インピーダンスの少なくとも一方を測定することが好ましい。
【発明の効果】
【００１９】
本発明によれば、目標が達成されたことを容易に把握することのできる生体情報測定装置を提供することができる。
【図面の簡単な説明】
【００２０】
【図１】本発明の一実施形態の生体情報測定装置について、（ａ）は同装置の斜視構造を示す斜視図、（ｂ）は同装置の平面構造を示す平面図。
【図２】同実施形態の生体情報測定装置について、表示部の平面構造を示す平面図。
【図３】同実施形態の生体情報測定装置について、目標を達成したと判断される測定結果を説明するためのグラフ。
【図４】同実施形態の生体情報測定装置について、目標未達成時における測定結果の表示態様の一例を示す表示部の平面図。
【図５】同実施形態の生体情報測定装置について、第１目標条件が満たされたときにおける測定結果の表示態様の一例を示す表示部の平面図。
【図６】同実施形態の生体情報測定装置について、第１目標条件および第２目標条件が満たされたときにおける測定結果の表示態様の一例を示す表示部の平面図。
【図７】本発明の生体情報測定装置の第１変形例について、目標を達成したときにおける測定結果の表示態様の一例を示す表示部の平面図。
【図８】本発明の生体情報測定装置の第２変形例について、目標を達成したときにおける測定結果の表示態様の一例を示す表示部の平面図。
【図９】本発明の生体情報測定装置の第３変形例について、目標を達成したと判断される測定結果を説明するためのグラフ。
【図１０】本発明の生体情報測定装置の第４変形例について、目標を達成したと判断される測定結果を説明するためのグラフ。
【図１１】本発明の生体情報測定装置の第５変形例について、目標を達成したと判断される測定結果を説明するためのグラフ。
【図１２】本発明の生体情報測定装置の第６変形例について、目標を達成したと判断される測定結果を説明するためのグラフ。
【発明を実施するための形態】
【００２１】
図１を参照して生体情報測定装置である体重体組成計１の全体構成について説明する。
体重体組成計１は、装置本体１０、生体情報である体重等を測定するためのロードセル、生体情報である体組成を測定するための測定用電極２０、被測定者により操作される操作部３０、および生体情報の測定結果を表示する表示部４０を備えている。
【００２２】
装置本体１０は、被測定者が乗る平らな筐体である。装置本体１０の内部には、ロードセルおよび電子回路および内部電源である電池が設けられ、装置本体１０の上面に、測定用電極２０および操作部３０および表示部４０が設けられている。
【００２３】
ロードセルは、装置本体１０に乗った被測定者の体重を測定するためのセンサである。ロードセルは、被測定者の体重等を算出するための集積回路を備える電子回路に接続され、被測定者の質量に応じた信号を電子回路に出力する。電子回路においては、ロードセルから入力された信号に基づいて被測定者の体重が算出される。また、電子回路においては、ロードセルを用いて算出された被測定者の体重、および予め設定された被測定者の性別と年齢と身長に基づいて、生体情報であるＢＭＩ（Body Mass Index）および基礎代謝が算出される。
【００２４】
測定用電極２０は、装置本体１０に乗った被測定者の生体インピーダンスを測定するためのものであって、４つの電極２１〜２４により構成されている。第１電極２１は、被測定者の右足前側に接触する右足前側用の電極であって、第２電極２２は、被測定者の右足後側に接触する右足後側用の電極である。また、第３電極２３は、被測定者の左足前側に接触する左足前側用の電極であって、第４電極２４は、被測定者の左足後側に接触する左足後側用の電極である。各電極２１〜２４は、被測定者の体組成等を算出するための集積回路を備える電子回路に接続されている。電子回路においては、各電極２１〜２４を用いて被測定者の生体インピーダンスが算出される。さらに、算出された生体インピーダンスと、ロードセルを用いて算出された被測定者の体重、および予め設定された被測定者の性別と年齢と身長に基づいて、被測定者の体組成が算出される。体組成としては、内臓脂肪率、体脂肪率、皮下脂肪率、骨量を示す骨レベル、および筋肉量を示す筋肉レベルが算出される。
【００２５】
操作部３０は、４つの押しボタン３１〜３４により構成されている。第１押しボタン３１は、体重体組成計１の電源の入／切の切り替え等に用いられる押しボタンである。第２押しボタン３２は、被測定者の目標体重の設定等に用いられる押しボタンである。第３押しボタン３３は、過去の測定結果の表示等に用いられる押しボタンである。第４押しボタン３４は、測定結果の表示の切り替え等に用いられる押しボタンである。
【００２６】
表示部４０は、セグメント方式の液晶ディスプレイにより構成されている。表示部４０は、液晶を挟む透明基板４０Ａを備えている。透明基板４０Ａには、液晶に電圧を印加するための透明電極がセグメントとして設けられている。
【００２７】
図２を参照して、表示部４０の具体的構成について説明する。
表示部４０には、上記セグメントとして、数値表示セグメント４１Ａ〜４１Ｄ、小数点表示セグメント４１Ｅ、単位表示セグメント４２、測定時期表示セグメント４３、測定対象表示セグメント４４Ａ，４４Ｂ、および電池残量表示セグメント４５が設けられている。数値表示セグメント４１Ａ〜４１Ｄは、生体情報の測定結果を数値として表示する測定結果表示セグメントである。
【００２８】
また、これらの他に、測定結果表示セグメント４６Ａ〜４６Ｄ、設定内容表示セグメント４７Ａ〜４７Ｄ、および目標達成表示セグメント４８Ａ〜４８Ｅ，４９Ａ〜４９Ｅが設けられている。小数点表示セグメント４１Ｅ、単位表示セグメント４２、測定時期表示セグメント４３、測定対象表示セグメント４４Ａ，４４Ｂ、電池残量表示セグメント４５、設定内容表示セグメント４７Ａ〜４７Ｄは、補助的内容を表示する補助表示セグメントである。
【００２９】
数値を表示する数値表示セグメント４１Ａ〜４１Ｄは、表示部４０の中央部に設けられている。数値表示セグメント４１Ａは、数字の「１」を表示するためのものであって、測定結果や設定内容を数値として表示する。数値表示セグメント４１Ａの右方には、数値表示セグメント４１Ｂ，４１Ｃ，４１Ｄが、この順番で設けられている。数値表示セグメント４１Ｂ〜４１Ｄは、「１」〜「９」を表示するためのものである。数値表示セグメント４１Ａ〜４１Ｄにより、１〜３桁の数値および最上位の桁が「１」である４桁の数値を表示することができる。
【００３０】
小数点を表示する小数点表示セグメント４１Ｅは、数値表示セグメント４１Ｃ，４１Ｄの間に設けられている。小数点表示セグメント４１Ｅは、「．」を表示するためのものである。小数点表示セグメント４１Ｅにより、数値表示セグメント４１Ａ〜４１Ｃを整数部とし、数値表示セグメント４１Ｄを小数部として数値を表示することができる。
【００３１】
数値の単位を表示する単位表示セグメント４２は、表示部４０の右側端部、すなわち数値表示セグメント４１Ｄよりも右方に設けられている。単位表示セグメント４２は、表示されている測定結果の数値、すなわち測定値の単位を表示するためのものである。具体的には、単位表示セグメント４２は、「ｋｃａｌ」、「ｋｃａｌ／日」、「％」、「ｋｇ」を表示するためのものである。「ｋｃａｌ」を表示するセグメントは、「ｋｃａｌ／日」を表示するセグメントを兼ねている。
【００３２】
測定時期を表示する測定時期表示セグメント４３は、表示部４０の左前側端部に設けられている。測定時期表示セグメント４３は、表示されている測定結果の測定時期を数字および文字により表示するためのものである。具体的には、測定時期表示セグメント４３は、「１」〜「１９」、「週間前」、「か月前」を表示するためのものである。
【００３３】
測定対象を表示する測定対象表示セグメント４４Ａは、表示部４０の左側端部、すなわち数値表示セグメント４１Ａよりも左方に設けられている。また、測定対象表示セグメント４４Ｂは、表示部４０の上側端部であって、数値表示セグメント４１Ａ〜４１Ｄよりも前方に設けられている。
【００３４】
測定対象表示セグメント４４Ａ，４４Ｂは、表示されている測定結果に対応する測定対象を文字として表示するためのものである。具体的には、測定対象表示セグメント４４Ａは、「体重」、「基礎代謝」を表示するためのものである。測定対象表示セグメント４４Ｂは、「ＢＭＩ」、「内臓脂肪率」、「体脂肪率」、「皮下脂肪率」、「骨レベル」、「筋肉レベル」を表示するためのものである。「内臓脂肪率」、「体脂肪率」、「皮下脂肪率」を表示するセグメントにおいて、「脂肪率」を表示するセグメントは共用化されている。また、「骨レベル」、「筋肉レベル」を表示するセグメントにおいて、「レベル」を表示するセグメントは共用化されている。
【００３５】
内部電源である電池の残量を表示する電池残量表示セグメント４５は、表示部４０の左後側端部、すなわち、数値表示セグメント４１Ａよりも左方に設けられている。電池残量表示セグメント４５は、電池残量が少ないことを示す図形を表示するためのものである。
【００３６】
測定結果を図形により表示する測定結果表示セグメント４６Ａは、表示部４０の後側端部、すなわち、数値表示セグメント４１Ａ〜４１Ｄよりも後方に設けられている。測定結果表示セグメント４６Ａは、ＢＭＩの測定結果を表示するものであって、左右方向に直線上に並んだ複数のセグメントにより構成されている。測定結果は、測定結果表示セグメント４６Ａを構成するセグメントのうち、電圧が印加された連なるセグメントの個数により表される。
【００３７】
測定結果を文字により表示する測定結果表示セグメント４６Ｂ〜４６Ｄは、数値表示セグメント４１Ｂ〜４１Ｄ内に設けられている。測定結果表示セグメント４６Ｂ〜４６Ｄは、所定の数値（例えば過去の測定結果を示す数値）に対する測定結果を示す数値の大小を表示するためのものである。具体的には、測定結果表示セグメント４６Ｂは、体重が増加したことを「増」の文字で表示するものであって、測定結果表示セグメント４６Ｃは、体重が減少したことを「減」の文字で表示するものである。また、測定結果表示セグメント４６Ｄは、体重が変化しなかったことを「無」の文字で表示するものである。
【００３８】
被測定者により設定される設定内容を表示する設定内容表示セグメント４７Ａ，４７Ｂは、数値表示セグメント４１Ｂ，４１Ｃ内に設けられている。設定内容表示セグメント４７Ａ，４７Ｂは、設定された被測定者の性別を表示するためのものである。具体的には、設定内容表示セグメント４７Ａは、「男」の文字で表示するものであって、設定内容表示セグメント４７Ｂは、「女」の文字で表示するものである。
【００３９】
被測定者により設定される設定内容を表示する設定内容表示セグメント４７Ａ，４７Ｂは、数値表示セグメント４１Ｂ，４１Ｃ内に設けられている。設定内容表示セグメント４７Ａ，４７Ｂは、設定された被測定者の性別を表示するためのものである。具体的には、設定内容表示セグメント４７Ａは、「男」の文字で表示するものであって、設定内容表示セグメント４７Ｂは、「女」の文字で表示するものである。
【００４０】
設定内容表示セグメント４７Ｃは、数値表示セグメント４１Ｄ内に設けられ、設定内容表示セグメント４７Ｄは、表示部４０の右側端部に設けられている。設定内容表示セグメント４７Ｃ，４７Ｄは、被測定者の年齢および身長が設定される際に、数値の単位を表示する。具体的には、設定内容表示セグメント４７Ｃは、年齢の単位である「才」を表示するものであって、設定内容表示セグメント４７Ｄは、身長の単位である「ｃｍ」を表示するものである。
【００４１】
目標の達成を表示する目標達成表示セグメント４８Ａ〜４８Ｅ，４９Ａ〜４９Ｅは、表示部４０において、上記セグメント４１Ａ〜４１Ｅ，４２，４３，４４Ａ，４４Ｂ，４５，４６Ａ〜４６Ｄ，４７Ａ〜４７Ｄと重ならない位置に設けられている。
【００４２】
目標達成表示セグメント４８Ａ，４８Ｂは、測定対象表示セグメント４４Ａと数値表示セグメント４１Ａとの間に設けられている。目標達成表示セグメント４８Ｃは、測定対象表示セグメント４４Ｂと透明基板４０Ａの周縁４０Ｂとの間に設けられている。目標達成表示セグメント４８Ｄは、数値表示セグメント４１Ｄと設定内容表示セグメント４７Ｄとの間に設けられている。目標達成表示セグメント４８Ｅは、単位表示セグメント４２と透明基板４０Ａの周縁４０Ｂとの間に設けられている。
【００４３】
目標達成表示セグメント４８Ａ〜４８Ｅは、第１目標条件が満たされたとき、目標が達成されたことを図形により表示するためのものである。具体的には、目標達成表示セグメント４８Ａ〜４８Ｅは、放射状に突出した形状を有するものであって、菱形の内角が鋭角になるように変形されたものである。
【００４４】
目標達成表示セグメント４９Ａは、電池残量表示セグメント４５および測定対象表示セグメント４４Ａと数値表示セグメント４１Ａとの間に設けられている。目標達成表示セグメント４９Ｂは、測定時期表示セグメント４３と測定対象表示セグメント４４Ｂとの間に設けられている。目標達成表示セグメント４９Ｃは、測定対象表示セグメント４４Ｂと数値表示セグメント４１Ｃ，４１Ｄとの間に設けられている。目標達成表示セグメント４９Ｄは、測定対象表示セグメント４４Ｂと透明基板４０Ａの周縁４０Ｂとの間に設けられている。目標達成表示セグメント４９Ｅは、単位表示セグメント４２と透明基板４０Ａの周縁４０Ｂとの間に設けられている。
【００４５】
目標達成表示セグメント４９Ａ〜４９Ｅは、第２目標が満たされたときに、目標が達成されたことを図形により表示するためのものである。目標達成表示セグメント４９Ａ〜４９Ｅは、目標達成表示セグメント４８Ａ〜４８Ｅと同様に、放射状に突出した形状を有するものであって、菱形の内角が鋭角になるように変形されたものの外形である。
【００４６】
以上のように、目標達成表示セグメント４８Ａ〜４８Ｅ，４９Ａ〜４９Ｅは、先端に向けて先細りの形状となる部分を「先細り部分」として、その中心側の部分から複数の先細り部分が放射状に突出しているものである。目標達成表示セグメント４８Ａ〜４８Ｅが中実のセグメントであるのに対して、目標達成表示セグメント４９Ａ〜４９Ｅは中空のセグメントである。
【００４７】
体重体組成計１は、生体情報に関する目標条件を設定する機能を有している。目標等が設定される際の体重体組成計１の動作について説明する。
第１押しボタン３１が押されることにより、体重体組成計１の電源がオンされ、さらに、第２押しボタン３２が押されることにより、被測定者の情報や目標を設定するための設定モードに移行する。
【００４８】
設定モードにおいては、各押しボタン３３，３４が押されることにより、設定内容、すなわち被測定者の年齢および身長および性別および目標が変更される。このとき、数値表示セグメント４１Ａ〜４１Ｄ、小数点表示セグメント４１Ｅ、設定内容表示セグメント４７Ａ〜４７Ｄを用いて設定内容が表示されるため、表示部４０を参照しながら設定内容を変更することができる。設定された目標値や被測定者の情報は電子回路に設けられたメモリに記憶される。
【００４９】
本実施形態において設定される目標としては、所定の目標体重を示す目標値が設定される。目標値が設定されることにより、以下の第１目標条件と第２目標条件が自動的に設定される。
第１目標条件：前回の体重に比べて目標体重に体重を近づける
第２目標条件：目標体重を含む所定の目標範囲に体重を収める
体重および体組成が測定される際の体重体組成計１の動作について説明する。
【００５０】
第１押しボタン３１が押されることにより、体重体組成計１の電源がオンされて、被測定者の情報や目標が設定されていることを前提に、被測定者の生体情報である体重および体組成を測定する測定モードに移行する。
【００５１】
測定モードにおいては、ロードセルおよび測定用電極２０を用いて電子回路が、被測定者の生体情報である体重、ＢＭＩ，基礎代謝、内臓脂肪率、体脂肪率、皮下脂肪率、骨レベル、および筋肉レベルを算出する。そして、算出されたこれらの生体情報が、表示部４０に設けられた各セグメント４１Ａ〜４１Ｄ，４２，４４Ａ，４４Ｂ，４６Ａを用いて、測定結果として表示される。体重、基礎代謝、内臓脂肪率、体脂肪率、皮下脂肪率、骨レベル、および筋肉レベルの測定結果は、セグメント４１Ａ〜４１Ｄにより数値として表示される。
【００５２】
測定モードにおいて、第３押しボタン３３が押されたときには、過去の生体情報との比較が、表示部４０に設けられた各セグメント４３，４６Ａ〜４６Ｂを用いて表示される。また、測定モードにおいて、第４押しボタン３４が押されたときには、測定結果の表示において、所定の測定対象についての測定結果の表示が、他の測定対象についての測定結果の表示に切り替わる。すなわち、例えば、体重の測定結果の表示が、基礎代謝の測定結果の表示に切り替わる。
【００５３】
図３〜図６を参照して測定結果が表示される際の体重体組成計１の動作について説明する。
図３は、生体情報の測定結果である体重の変化の一例を示すグラフである。１回目の測定結果を体重Ｗ１とし、２回目の測定結果を体重Ｗ２とし、３回目の測定結果を体重Ｗ３とし、４回目の測定結果を体重Ｗ４とし、５回目の測定結果を体重Ｗ５とし、６回目の測定結果を体重Ｗ６とし、７回目の測定結果を体重Ｗ７とする。また、目標値Ｇは、設定モードにおいて設定された目標値とし、目標範囲ＧＲは、設定モードにおいて設定された目標範囲とする。
【００５４】
図中の体重Ｗ１〜Ｗ７は、次の関係を満たしている。
・体重Ｗ１は、目標値Ｇよりも大きく、目標範囲ＧＲに収まっていない
・体重Ｗ２は、体重Ｗ１よりも小さく、目標値Ｇよりも大きく、目標範囲ＧＲに収まっていない
・体重Ｗ３は、体重Ｗ２よりも大きく、目標値Ｇよりも大きく、目標範囲ＧＲに収まっていない
・体重Ｗ４は、体重Ｗ３よりも大きく、目標値Ｇよりも大きく、目標範囲ＧＲに収まっていない
・体重Ｗ５は、体重Ｗ４よりも小さく、目標値Ｇよりも大きく、目標範囲ＧＲに収まっていない
・体重Ｗ６は、体重Ｗ５よりも大きく、目標値Ｇよりも大きく、目標範囲ＧＲに収まっていない
・体重Ｗ７は、体重Ｗ６よりも小さく、目標値Ｇよりも小さく、目標範囲ＧＲに収まっている
以上の測定結果であるとき、３回目、４回目、および６回目の測定結果は、上記第１目標条件および第２目標条件のいずれも満たされるものでない。これに対して、２回目、５回目の測定結果は、上記第２目標条件が満たされるものでないが、上記第１目標条件が満たされるものである。また、７回目の測定結果は、上記第１目標条件および第２目標条件の双方が達成されるものである。
【００５５】
図４に示されるように、３回目、４回目、および６回目の測定結果が表示部４０に表示されるときには、目標達成表示セグメント４８Ａ〜４８Ｅ，４９Ａ〜４９Ｅ（図２参照）は表示されない。このように、目標が達成されていないとき、すなわち、第１目標条件も第２目標条件も満たされていないときには、目標達成表示セグメント４８Ａ〜４８Ｅ，４９Ａ〜４９Ｅに電圧は印加されず、目標が達成されたことの報知が行われない。また、このとき、目標達成表示セグメント４８Ａ〜４８Ｅは、それぞれ異なるタイミングで点滅する。すなわち、測定結果が第１目標条件を満たしているとき、目標達成表示セグメント４８Ａ〜４８Ｅが点滅する。
【００５６】
図５に示されるように、２回目および５回目の測定結果が表示部４０に表示されるときには、目標達成表示セグメント４８Ａ〜４８Ｅが表示される。このように、第１目標条件が満たされたときには、目標達成表示セグメント４８Ａ〜４８Ｅに電圧が印加されて、第１目標条件が満たされたことの報知が行われる。
【００５７】
図６に示されるように、７回目の測定結果が表示部４０に表示されるときには、目標達成表示セグメント４８Ａ〜４８Ｅ，４９Ａ〜４９Ｅが表示される。このように、第１目標条件も第２目標条件も満たされたときには、目標達成表示セグメント４８Ａ〜４８Ｅ，４９Ａ〜４９Ｅに電圧が印加されて、第１目標条件および第２目標条件が満たされたことの報知が行われる。また、このとき、目標達成表示セグメント４８Ａ〜４８Ｅ，４９Ａ〜４９Ｅは、それぞれ異なるタイミングで点滅する。すなわち、測定結果が第２目標条件を満たしているとき、目標達成表示セグメント４８Ａ〜４８Ｅ，４９Ａ〜４９Ｅが点滅する。
【００５８】
以上のように、本実施形態においては、設定される数値を「目標値」とし、測定結果を示す数値を「測定値」とし、今回の測定により得られた測定値を「今回測定値」として、以下の条件Ａが満たされるとき、測定結果が第１目標条件を満たしている旨判定される。
（条件Ａ）目標値が今回測定値よりも大きい
すなわち、以下の（条件ａ）が満たされるとき、測定結果が第１目標条件を満たしている旨判定される。なお、今回測定値の直前に得られた測定値を「直前測定値」とし、目標範囲の上限を規定する値を「上限値」とする。また、今回測定値が上限値よりも大きいときの今回測定値と上限値との差の絶対値を「今回上限側差分」とし、前回測定値が上限値よりも大きいときの前回測定値と上限値との差の絶対値を「前回上限側差分」とする。
（条件ａ）今回上限側差分が前回上限側差分または前回下限側差分よりも小さい
また、本実施形態においては、目標条件として設定される数値の範囲を「目標範囲」として、目標範囲に今回測定値が含まれるとき、測定結果が第２目標条件を満たしている旨判定される。
【００５９】
すなわち、（条件ａ）が満たされる状態を「第１目標達成状態」とし、目標範囲に今回測定値が含まれる状態を「第２目標達成状態」とする。このとき、第１目標達成状態のときの目標達成表示セグメント４８Ａ〜４８Ｅ，４９Ａ〜４９Ｅの表示状態と第２目標達成状態のときの目標達成表示セグメント４８Ａ〜４８Ｅ，４９Ａ〜４９Ｅの表示状態とが互いに異なる。第２目標達成状態のときに表示される目標達成表示セグメント４８Ａ〜４８Ｅ，４９Ａ〜４９Ｅの数は、第１目標達成状態のときに表示される目標達成表示セグメント４８Ａ〜４８Ｅの数よりも多い。
【００６０】
本実施形態の体重体組成計１によれば、以下の効果を奏することができる。
（１）体重体組成計１には、セグメント方式の表示部４０が設けられ、測定結果表示セグメントである数値表示セグメント４１Ａ〜４１Ｄと、目標達成表示セグメント４８Ａ〜４８Ｅ，４９Ａ〜４９Ｅとが表示部４０に設けられている。目標達成表示セグメント４８Ａ〜４８Ｅ，４９Ａ〜４９Ｅは、生体情報の測定結果と目標条件との関係に応じて表示態様が変化するセグメントである。このような構成によれば、生体情報の測定結果が設定された目標に応じた目標条件を満たすものであるときに、その旨を、数値表示セグメント４１Ａ〜４１Ｄとは別に設けられた目標達成表示セグメント４８Ａ〜４８Ｅ，４９Ａ〜４９Ｅに表示させることができる。このため、被測定者は、目標達成表示セグメント４８Ａ〜４８Ｅ，４９Ａ〜４９Ｅを参照して、目標が達成されたことを容易に把握することが可能である。その結果、目標が達成されたことを被測定者が知ることにより、目標を達成させようとするモチベーションの向上または維持を図ることができる。また、表示部４０はセグメント方式のものであるため、ドットマトリクス方式のものに比べて、表示部４０の低コスト化を図ることができる。また、数値表示セグメント４１Ａ〜４１Ｄと目標達成表示セグメント４８Ａ〜４８Ｅ，４９Ａ〜４９Ｅは別個に設けられているため、測定結果の表示と目標が達成されたことの報知を同時に行うことができる。
【００６１】
（２）表示部４０には、複数の数値表示セグメント４１Ｃ，４１Ｄが設けられ、複数の数値表示セグメント４１Ｃ，４１Ｄの間に目標達成表示セグメント４９Ｃが設けられている。したがって、複数の数値表示セグメント４１Ｃ，４１Ｄの間を有効に利用することができる。
【００６２】
（３）数値表示セグメント４１Ａ〜４１Ｄおよび目標達成表示セグメント４８Ａ〜４８Ｅ，４９Ａ〜４９Ｅとは別に、補助表示セグメントが設けられている。そして、補助表示セグメントと表示部４０の周縁４０Ｂとの間に目標達成表示セグメント４８Ｃ，４８Ｅ，４９Ｄ，４９Ｅが設けられている。したがって、補助表示セグメントと表示部４０の周縁４０Ｂとの間を有効に利用することができる。
【００６３】
（４）補助表示セグメントと数値表示セグメント４１Ａ〜４１Ｄとの間に、目標達成表示セグメント４８Ａ，４８Ｂ，４８Ｄ，４９Ａ，４９Ｃが設けられている。したがって、補助表示セグメントと数値表示セグメント４１Ａ〜４１Ｄとの間を有効に利用することができる。
【００６４】
（５）補助表示セグメントである測定時期表示セグメント４３と測定対象表示セグメント４４Ｂとの間に、目標達成表示セグメント４９Ｂが設けられている。したがって、複数の補助表示セグメントの間を有効に利用することができる。
【００６５】
（６）測定結果が目標条件である第１目標条件または第２目標条件を満たしているとき、目標達成表示セグメント４８Ａ〜４８Ｅ，４９Ａ〜４９Ｅが点滅する。このため、目標が達成されたときに、表示部４０を目立たせることができる。
【００６６】
（その他の実施形態）
本発明の実施態様は上記実施形態に限られるものではなく、例えば以下に示すように変更することもできる。また以下の変形例は、上記実施形態についてのみ適用されるものではなく、異なる変形例同士を互いに組み合わせて実施することもできる。
【００６７】
・（第１変形例）上記実施形態では、目標達成表示セグメント４８Ａ〜４８Ｅ，４９Ａ〜４９Ｅは、放射状に突出した形状を有するものであるが、測定結果が目標を達成するものであることを表示するセグメントの形状および個数は適宜変更することもできる。
【００６８】
例えば、図７（ａ）〜（ｃ）に示されるように、表示部４０に、笑顔を表す目標達成表示セグメント４８Ｆ、花を表す目標達成表示セグメント４８Ｇ、またはサムアップを表す目標達成表示セグメント４８Ｈを設けることもできる。また、図７（ｄ）〜（ｆ）に示されるように、表示部４０に、ハートマークを表す目標達成表示セグメント４８Ｉ、四つ葉のクローバーを表す目標達成表示セグメント４８Ｊ、またはスターを表す目標達成表示セグメント４８Ｋを設けることもできる。また、図７（ｇ）に示されるように、表示部４０に、測定結果が目標を達成するものであることを文字により表示する目標達成表示セグメント４８Ｌを設けることもできる。
【００６９】
・上記実施形態では、目標達成表示セグメント４８Ａ〜４８Ｅ，４９Ａ〜４９Ｅが点滅するが、目標達成表示セグメント４８Ａ〜４８Ｅ，４９Ａ〜４９Ｅの点滅に併せて、数値表示セグメント４１Ａ〜４１Ｄによる数値の表示態様を適宜変更することもできる。
【００７０】
例えば、目標達成表示セグメント４８Ａ〜４８Ｅ，４９Ａ〜４９Ｅの点滅に併せて、測定値を表示している数値表示セグメント４１Ａ〜４１Ｄを点滅させることもできる。すなわち、測定結果が目標条件を満たしているときの測定結果の表示状態と、測定結果が目標条件を満たしていないときの測定結果の表示状態とを異ならせることもできる。このような構成によれば、表示部４０をより目立たせることができる。
【００７１】
また、目標達成表示セグメント４８Ａ〜４８Ｅ，４９Ａ〜４９Ｅの点滅に併せて、測定値を表示している数値表示セグメント４１Ａ〜４１Ｄの表示色を切り替えることもできる。すなわち、測定結果が目標条件を満たしているときの測定結果の表示色と、測定結果が前記目標条件を満たしていないときの測定結果の表示色とを異ならせることもできる。このような構成によれば、表示部４０をより目立たせることができる。
【００７２】
・上記実施形態では、目標達成表示セグメント４８Ａ〜４８Ｅ，４９Ａ〜４９Ｅをそれぞれ異なるタイミングで点滅させているが、同じタイミングで点滅させることもできる。
・上記実施形態では、目標達成表示セグメント４８Ａ〜４８Ｅ，４９Ａ〜４９Ｅは、測定結果が目標を達成するものであることを点滅して表示するものであるが、この表示態様を適宜変更することもできる。例えば、目標達成表示セグメント４８Ａ〜４８Ｅ，４９Ａ〜４９Ｅを点滅させず、その表示色を切り替える構成に変更することもできる。
【００７３】
・（第２変形例）上記実施形態では、測定結果が目標を達成するものであることを表示部４０のみを用いて報知する構成であるが、体重体組成計１が、表示部４０とは別に、測定結果が目標を達成する旨を報知する報知部を備える構成に変更することもできる。すなわち、測定結果と目標条件との関係に応じて動作状態が変化する報知部を設けることもできる。
【００７４】
例えば、図８（ａ）および（ｂ）に示されるように、体重体組成計１が、目標の達成を報知する報知部５０を備え、報知部５０が、前記測定結果が目標を達成するものである旨を、光を発することにより報知することもできる。このような報知部５０としては、ＬＥＤ（Light Emitting Diode）を用いることができる。このように、測定結果が目標条件を満たしているとき、報知部５０が光を出力する構成とすることもできる。
【００７５】
・第２変形例では、報知部５０は光を発するものであったが、報知部が、測定結果が目標を達成するものである旨を、音を発することにより報知することもできる。このような報知部としては、小型スピーカーを用いることができる。このように、測定結果が目標条件を満たしているとき、報知部が音を出力する構成とすることもできる。
【００７６】
・第２変形例では、報知部５０は光を発するものであったが、報知部が、測定結果が目標を達成するものである旨を、振動により報知することもできる。このような報知部としては、振動モータを用いることができる。
【００７７】
・（第３変形例）上記実施形態では、目標値が設定されることにより第１目標条件および第２目標条件の２つの目標が設定されたが、設定される目標を１つまたは３つ以上に変更することもできる。すなわち、目標体重を示す目標値が設定されることにより、目標体重よりも体重を小さくすること（目標値よりも測定値を小さくすること）を目標として設定することもできる。
【００７８】
図９を参照して、目標値Ｇをまたぐように測定結果が変動したときに、第３変形例において目標が達成されたと判定される測定結果を説明する。
図９において、体重Ｗ１，Ｗ４，Ｗ６は目標値Ｇよりも大きい。これに対して、体重Ｗ２，Ｗ３，Ｗ５，Ｗ７は目標値Ｇよりも小さい。したがって、１回目、４回目、６回目の測定結果は上記目標が達成されるものでなく、２回目、３回目、５回目、７回目の測定結果は上記目標が達成されるものである。よって、図４に示されるように、１回目、４回目、６回目の測定結果が表示部４０に表示されるときは、目標達成表示セグメント４８Ａ〜４８Ｅ，４９Ａ〜４９Ｅが表示されない。図６に示されるように、２回目、３回目、５回目、７回目の測定結果が表示部４０に表示されるときに、目標達成表示セグメント４８Ａ〜４８Ｅ，４９Ａ〜４９Ｅが表示される。
【００７９】
・（第４変形例）上記実施形態では、目標値は設定された一定の目標体重を示すが、目標値を変化させることもできる。例えば、過去の測定値を目標値として設定することもできる。この場合には、前回の測定値が目標値として自動的に設定されるとともに、目標体重よりも体重を小さくすることが目標として設定される。すなわち、今回測定値の直前に得られた測定値を「直前測定値」として、この直前測定値が目標値として設定される構成とすることもできる。
【００８０】
図１０を参照して、第５変形例において目標が達成されたと判定される測定結果を説明する。
図１０において、体重Ｗ２は体重Ｗ１よりも小さく、体重Ｗ５は体重Ｗ４よりも小さく、体重Ｗ７は体重Ｗ６よりも小さい。したがって、３回目、４回目、６回目の測定結果は上記目標が達成されるものでなく、２回目、５回目、７回目の測定結果は上記目標が達成されるものである。よって、図４に示されるように、３回目、４回目、６回目の測定結果が表示部４０に表示されるときは、目標達成表示セグメント４８Ａ〜４８Ｅ，４９Ａ〜４９Ｅが表示されない。図６に示されるように、２回目、５回目、７回目、７回目の測定結果が表示部４０に表示されるときに、目標達成表示セグメント４８Ａ〜４８Ｅ，４９Ａ〜４９Ｅが表示される。なお、この変形例においては、上記実施形態における第２目標条件の設定が省略されて第１目標条件のみが目標として設定されている場合と同じである。
【００８１】
・上記実施形態および第３変形例および第４変形例では、目標体重を示す目標値が設定されることにより、目標体重よりも体重を小さくすることが目標として設定されるが、体重を目標体重と同じにすることを目標として設定することもできる。
【００８２】
・上記実施形態および第３変形例および第４変形例では、目標体重を示す目標値が設定されることにより、目標体重よりも体重を小さくすることが目標として設定されるが、目標体重よりも体重を大きくすることを目標として設定することもできる。
【００８３】
すなわち、以下の（条件１）〜（条件３）のいずれか１つが満たされるとき、測定結果が目標条件を満たしている旨判定する構成とすることもできる。
（条件１）目標値と今回測定値とが等しい
（条件２）目標値が今回測定値よりも大きい
（条件３）目標値が今回測定値よりも小さい
・また、以下の（条件ｂ）が満たされるとき、測定結果が目標条件を満たしている旨判定する構成とすることもできる。なお、目標範囲の下限を規定する値を「下限値」とし、今回測定値が下限値よりも小さいときの今回測定値と下限値との差の絶対値を「今回下限側差分」とする。また、前回測定値が下限値よりも小さいときの前回測定値と下限値との差の絶対値を「前回下限側差分」とする。
（条件ｂ）今回下限側差分が前回上限側差分または前回下限側差分よりも小さい
・（第５変形例）上記実施形態では、目標として第１目標条件と第２目標条件とが設定され、第１目標条件として前回の体重に比べて目標体重に体重を近づけることが設定されたが、第１目標条件の設定を省略することもできる。
【００８４】
図１１を参照して、第６変形例において目標が達成されたと判定される測定結果を説明する。なお、この変形例６における目標範囲は、上記実施形態の目標範囲とは別に設定されたものである。
【００８５】
図１１において、体重Ｗ１，Ｗ４，Ｗ６，Ｗ７は目標範囲ＧＲに収まっておらず、体重Ｗ２，Ｗ３，Ｗ５は目標範囲ＧＲに収まっている。したがって、１回目、４回目、６回目、７回目の測定結果は上記目標が達成されるものでなく、２回目、３回目、５回目の測定結果は上記目標が達成されるものである。よって、図４に示されるように、１回目、４回目、６回目、７回目の測定結果が表示部４０に表示されるときは、目標達成表示セグメント４８Ａ〜４８Ｅ，４９Ａ〜４９Ｅが表示されない。図６に示されるように、２回目、３回目、５回目の測定結果が表示部４０に表示されるときに、目標達成表示セグメント４８Ａ〜４８Ｅ，４９Ａ〜４９Ｅが表示される。
【００８６】
・（第６変形例）上記実施形態では、目標として第１目標条件と第２目標条件とが設定され、第２目標条件として目標体重を含む目標範囲に体重を収めることが設定されたが、第２目標条件の設定を省略することもできる。
【００８７】
図１２を参照して、第６変形例において目標が達成されたと判定される測定結果を説明する。
３回目、４回目、６回目の測定結果は、上記実施形態における第１目標条件が満たされるものでなく、２回目、５回目、７回目の測定結果は、上記実施形態における第１目標条件が満たされるものである。よって、図４に示されるように、３回目、４回目、６回目の測定結果が表示部４０に表示されるときは、目標達成表示セグメント４８Ａ〜４８Ｅ，４９Ａ〜４９Ｅが表示されない。図６に示されるように、２回目、５回目、７回目の測定結果が表示部４０に表示されるときに、目標達成表示セグメント４８Ａ〜４８Ｅ，４９Ａ〜４９Ｅが表示される。
【００８８】
・上記実施形態では、測定結果を数値により表示する数値表示セグメント４１Ａ〜４１Ｅが設けられているが、測定結果を文字または図形により表示する表示セグメントに変更することもできる。
【００８９】
・測定結果表示セグメントと表示部の周縁との間に目標達成表示セグメントを設けることもできる。
・上記実施形態では、表示部４０がセグメント方式の液晶ディスプレイにより構成されているが、例えば、セグメント方式のＬＥＤにより構成される表示部に変更することもできる。
【００９０】
・上記実施形態では、生体情報として体重および体組成を測定する例が示されているが、体重のみを測定する構成、または体組成のみを測定する構成に変更することもできる。また、体重および体組成とは別の生体情報を体重および体組成の少なくとも一方に加えて測定する構成、または体重および体組成とは別の生体情報を体重および体組成に代えて測定する構成に変更することもできる。
【符号の説明】
【００９１】
１…体重体組成計、１０…装置本体、２０…測定用電極、２１〜２４…電極、３０…操作部、３１〜３４…押しボタン、４０…表示部、４０Ａ…透明基板、４０Ｂ…周縁、４１Ａ〜４１Ｄ…数値表示セグメント、４１Ｅ…小数点表示セグメント、４２…単位表示セグメント、４３…測定時期表示セグメント、４４Ａ，４４Ｂ…測定対象表示セグメント、４５…電池残量表示セグメント、４６Ａ〜４６Ｄ…測定結果表示セグメント、４７Ａ〜４７Ｄ…設定内容表示セグメント、４８Ａ〜４８Ｌ，４９Ａ〜４９Ｅ…目標達成表示セグメント、５０…報知部。
【図１】
2012200276.tif 000003
【図２】
2012200276.tif 000004
【図３】
2012200276.tif 000005
【図４】
2012200276.tif 000006
【図５】
2012200276.tif 000007
【図６】
2012200276.tif 000008
【図７】
2012200276.tif 000009
【図８】
2012200276.tif 000010
【図９】
2012200276.tif 000011
【図１０】
2012200276.tif 000012
【図１１】
2012200276.tif 000013
【図１２】
2012200276.tif 000014